(57)【要約】【課題】定着装置を用いて、定着温度より高い消色温度でシートを加熱加圧する画像の消色時に、シートに紙しわを生じるのを防止して、良質のリユースシートを得る画像形成装置を提供する。【解決手段】実施形態の画像形成装置は、印字記録媒体にトナー画像を形成する画像形成部と、前記トナー画像を有する前記印字記録媒体を定着温度で加熱する定着部と、前記定着部を消色温度以上で制御する温度制御部と、前記定着部に前記印字記録媒体或いは消色記録媒体を搬送する搬送部と、前記定着部の設定温度に従い、前記定着部の走行速度と前記搬送部の搬送速度との速度比を制御する速度制御部とを備える。【選択図】図４
2014164249.tif 000002
【特許請求の範囲】
【請求項１】
印字記録媒体にトナー画像を形成する画像形成部と、
前記トナー画像を有する前記印字記録媒体を定着温度で加熱する定着部と、
前記定着部を消色温度以上で制御する温度制御部と、
前記定着部に前記印字記録媒体或いは消色記録媒体を搬送する搬送部と、
前記定着部の設定温度に従い、前記定着部の走行速度と前記搬送部の搬送速度との速度比を制御する速度制御部とを備えることを特徴とする画像形成装置。
【請求項２】
前記定着部が前記定着温度である場合の前記走行速度と前記搬送速度の定着時速度差は、前記定着部が前記消色温度以上である場合の前記走行速度と前記搬送速度の消色時時速度差よりも小さいことを特徴とする請求項１に記載の画像形成装置。
【請求項３】
前記定着部の走行速度が前記搬送部の搬送速度よりも速いことを特徴とする請求項１または請求項２に記載の画像形成装置。
【請求項４】
前記印字記録媒体あるいは前記消色記録媒体の環境条件を検知する環境センサを更に備え、前記速度制御部は、前記環境センサの検知結果に応じて前記速度比を制御することを特徴とする請求項１乃至請求項３のいずれか１項に記載の画像形成装置。
【請求項５】
前記印字記録媒体あるいは前記消色記録媒体のサイズを検知するサイズセンサを更に備え、前記速度制御部は、前記サイズセンサの検知結果に応じて前記速度比を制御することを特徴とする請求項１乃至請求項４のいずれか１項に記載の画像形成装置。
【発明の詳細な説明】
【技術分野】
【０００１】
実施形態は、シートに画像形成を行う一方、シートに形成された画像を消色する消色機能を備える画像形成装置に関する。
【背景技術】
【０００２】
シートの搬送速度を切り替えた場合に、定着装置にシートを搬送する搬送装置によるシートの搬送速度と、定着装置によるシートの搬送速度との速度比を可変とする画像形成装置がある。他方シートをリユースするために、定着装置を用いて、定着温度より高温の消色温度でシートを加熱加圧してシートに形成された画像を消色する装置がある。画像を消色するために、シートを高温の消色温度で加熱加圧するとシートに紙しわを生じやすい。高温の消色温度でシートを加熱加圧する際に、シートに生じる紙しわを防止する必要がある。
【先行技術文献】
【特許文献】
【０００３】
【特許文献１】特開２００４−１０１９２５号公報
【発明の概要】
【発明が解決しようとする課題】
【０００４】
この発明が解決しようとする課題は、定着装置を用いて、定着温度より高い消色温度でシートを加熱加圧して画像を消色する場合に、シートに紙しわを生じるのを防止して、良質のリユースシートを得る画像形成装置を提供することである。
【課題を解決するための手段】
【０００５】
上記課題を達成するために、実施形態の画像形成装置は、印字記録媒体にトナー画像を形成する画像形成部と、前記トナー画像を有する前記印字記録媒体を定着温度で加熱する定着部と、前記定着部を消色温度以上で制御する温度制御部と、前記定着部に前記印字記録媒体或いは消色記録媒体を搬送する搬送部と、前記定着部の設定温度に従い、前記定着部の走行速度と前記搬送部の搬送速度との速度比を制御する速度制御部とを備える。
【図面の簡単な説明】
【０００６】
【図１】第１の実施形態のＭＦＰを示す概略構成図。
【図２】第１の実施形態の定着器を示す概略構成図。
【図３】第１の実施形態のＭＦＰの制御系を示す概略ブロック図。
【図４】第１の実施形態のシートの速度制御を示すフローチャート。
【図５】第２の実施形態のシートの速度制御を示すフローチャート。
【図６】第３の実施形態のシートの速度制御を示すフローチャート。
【発明を実施するための形態】
【０００７】
以下実施形態について説明する。
【０００８】
（第１の実施形態）
第１の実施形態の画像形成装置を図１乃至図４を参照して説明する。図１は第１の実施形態の画像形成装置の一例であるMulti Function Peripheral（以下ＭＦＰと略称する。）１０を示す。ＭＦＰ１０は、印字記録媒体である印字シートＰ１に画像を形成する印字モードと、消色記録媒体である消色シートＰ２上に形成された画像を消色する消色モードを備える。ＭＦＰ１０は、プリンタ部１１、スキャナ部１２、給紙部１３、排紙部２２を備える。
【０００９】
ＭＦＰ１０は、温度制御部及び速度制御部であって、ＭＦＰ１０の全体を制御するＣＰＵ１００を備える。ＭＦＰ１０は表示／オペレーションパネル５０を備える。表示／オペレーションパネル５０は、オペレーションパネル５０ａとタッチパネル式のディスプレイ５０ｂを備える。オペレーションパネル５０ａは例えばユーザによる入力を受け付け、ディスプレイ５０ｂは例えばユーザによる入力を受け付けあるいはユーザへの表示を行う。
【００１０】
給紙部１３は、それぞれに給紙ローラ１５ａ、１５ｂを備える第１及び第２の給紙カセット１３ａ、１３ｂを備える。給紙カセット１３ａ、１３ｂは、印字シートＰ１或いは消色シートＰ２（画像を消色処理しようとするシート）を収納する。印字シートＰ１は、未使用のシート及びリユースのシート（画像を消色処理により消色したシート）のいずれでも良い。
【００１１】
ＭＦＰ１０は、例えば給紙部１３に、ＭＦＰ１０の環境条件を検知する環境センサである温湿度センサ７０を備える。ＭＦＰ１０は、例えばプリンタ部１１に、印字シートＰ１或いは消色シートＰ２のサイズを検知するサイズセンサ７１を備える。温湿度センサ７０或いはサイズセンサ７１の配置位置は限定されない。
【００１２】
プリンタ部１１は、矢印ｍ方向に回転する感光体ドラム１４周囲に帯電器１６、レーザ露光器１７、現像器１８、クリーナ２１を備える。帯電器１６は感光体ドラム１４を帯電する。レーザ露光器１７は、画像データに基づいたレーザ光１７ａを、帯電された感光体ドラム１４に照射して、感光体ドラム１４上に静電潜像を形成する。現像器１８は、感光体ドラム１４上の静電潜像にトナーを供給する。転写器２０は、感光体ドラム１４上に形成されたトナー画像を印字シートＰ１に転写する、帯電器１６、レーザ露光器１７、現像器１８及び転写器２０は、画像形成部を構成する。
【００１３】
現像器１８は、例えばトナーと磁性キャリアの混合物である二成分現像剤を用いて感光体ドラム１４上の静電潜像にトナーを供給する。トナーは加熱により消色しない非消色トナー或いは例えば消色温度以上で加熱することにより消色可能な消色トナーのいずれでも良い。消色トナーは、バインダー樹脂に、着色剤、呈色性化合物及び顕色剤を含有させてなる。消色トナーを用いて形成した定着トナー画像を消色温度以上で加熱すると、消色トナー中の呈色性化合物と顕色剤とが解離してトナー画像を消色する。例えば消色トナーは、比較的低い温度でシートに定着でき、定着温度より例えば１０℃程度高い温度で消色する。
【００１４】
プリンタ部１１は、感光体ドラム１４から排紙部２２に達する間に、定着部である定着器３１を備える。ＭＦＰ１０は、給紙部１３から感光体ドラム１４、定着器３１を経て排紙部２２に印字シートＰ１或いは消色シートＰ２を搬送する搬送路２７を備える。
【００１５】
搬送路２７は、搬送ローラ２８、及び搬送部であるレジストローラ３０を備える。レジストローラモータ３０ａは、レジストローラ３０を駆動する。ＭＦＰ１０が印字モードであれば、レジストローラ３０は、感光体ドラム１４上に形成されるトナー画像に同期して、感光体ドラム１４及び転写器２０間に印字シートＰ１を搬送する。ＭＦＰ１０が消色モードであれば、レジストローラ３０は、定着器３１に消色シートＰ２を搬送する。搬送路２７は、定着器３１で加熱された印字シートＰ１或いは消色シートＰ２を排紙部２２に排出する排紙ローラ３２を備える。
【００１６】
定着器３１は、図２に示すように、例えばヒートローラ３３と、プレスローラ３４を備える。プレスローラ３４はヒートローラ３３を加圧して、ヒートローラ３３とプレスローラ３４の間にニップ３６を形成する。定着器３１は、ヒートローラ３３の温度を検知するサーミスタ７２を備える。定着器３１は、レジストローラ３０方向から搬送されるシートＰ１、Ｐ２をニップ３６にガイドする入り口ガイド３８を備える。
【００１７】
ヒートローラ３３は、例えば中空の芯金３３ａ内部にヒータランプ３３ｂを備える。ヒートローラ３３は、芯金３３ａ周囲にソリッドゴム層３３ｃを備える。ソリッドゴム層３３ｃは、ヒートローラ３３の端部に向けて肉厚に形成される。ヒートローラ３３は、中央部から端部に向けて直径が増加する逆クラウン形状に形成される。ヒートローラ３３を逆クラウン形状に形成することにより、ニップ３６内でシートＰ１、Ｐ２はヒートローラ３３の端部方向に引っ張られる。ヒートローラ３３を逆クラウン形状に形成して、ニップ内部での紙の変形を防ぎ、シートＰ１、Ｐ２の紙しわの発生を防止する。定着器３１はＩＨヒータを用いてヒートローラ３３を加熱しても良い。
【００１８】
定着器３１は、例えばヒートローラモータ３７によりヒートローラ３３を駆動して矢印ｑ方向に回転し、プレスローラ３４を矢印ｒ方向に従動回転する。ヒートローラ３３或いはプレスローラ３４をそれぞれ別のモータで駆動しても良い。
【００１９】
ヒートローラモータ３７は、ＭＦＰ１０の駆動モードに応じて、ヒートローラ３３の回転速度を変える。ヒートローラモータ３７は、ＭＦＰ１０が消色モードの場合は、印字モードの場合よりもヒートローラ３３の回転速度を速める。更に定着器３１は、例えばプレスローラ３４に変えて加圧ベルトを使用して、ヒートローラ３３との間にニップを形成しても良い。
【００２０】
定着器３１は、印字シートＰ１或いは消色シートＰ２をニップ３６に挟んで走行する。ＭＦＰ１０の印字モード時、定着器３１は印字シートＰ１を定着温度で加熱加圧して印字シートＰ１に形成されるトナー画像を定着する。ＭＦＰ１０の消色モード時、定着器３１は消色シートＰ２を定着温度より高い消色温度以上で加熱加圧して消色シートＰ２に形成された消色可能なトナー画像を消色する。
【００２１】
ＣＰＵ１００は、ＭＦＰ１０が印字モードであるか或いは消色モードであるかに応じて、定着器３１の設定温度を可変制御する。定着器３１はヒータランプ３３ｂをオン／オフして設定温度を保つ。ＣＰＵ１００は、レジストローラ３０によるシートＰ１、Ｐ２の搬送速度と、定着器３１によるシートＰ１、Ｐ２の走行速度との速度比を可変制御する。ＣＰＵ１００は、速度比を、ＭＦＰ１０が印字モードであるか或いは消色モードであるかに応じて制御する。
【００２２】
図３を参照してレジストローラ３０及び定着器３１の制御を主体とするＭＦＰ１０の制御系８０について説明する。制御系８０は、例えば、ＣＰＵ１００、リードオンリーメモリ（ＲＯＭ）１０１、ランダムアクセスメモリ（ＲＡＭ）１０２、インターフェース（Ｉ／Ｆ）１０３を備える。制御系８０は、表示／オペレーションパネル制御回路１０４、センサ制御回路１０６、搬送モータ駆動制御回路１０７、レジストローラモータ駆動制御回路１０８、定着器駆動制御回路１１０、画像形成部駆動制御回路１１１を備える。
【００２３】
ＣＰＵ１００は、ＲＯＭ１０１或いはＲＡＭ１０２に記憶されるプログラムを実行して画像形成処理機能或いは画像消色処理機能を実現する。ＲＯＭ１０１は、画像形成処理或いは画像消色処理の基本的な動作を司る制御プログラム及び制御データなどを記憶する。ＲＡＭ１０２は、ワーキングメモリであり、例えば各種判断に用いるデータを記憶する。Ｉ／Ｆ１０３は、ユーザ端末やファクシミリ等の各種装置との通信を行う。
【００２４】
表示／オペレーションパネル制御回路１０４は、オペレーションパネル５０ａ、ディスプレイ５０ｂを制御する。センサ制御回路１０６は、温湿度センサ７０、サイズセンサ７１、サーミスタ７２等の各種センサ１０６ａを制御する。
【００２５】
搬送モータ駆動制御回路１０７は、搬送路２７の給紙ローラ１５ａ、１５ｂ、搬送ローラ２８、排紙ローラ３２等を駆動するモータ群１０７ａを制御する。レジストローラモータ駆動制御回路１０８は、レジストローラモータ３０ａを制御する。定着器駆動制御回路１１０は、ヒータランプ３３ｂ及びヒートローラモータ３７を制御する。画像形成部駆動制御回路１１１は、感光体ドラム１４、帯電器１６、レーザ露光器１７、現像器１８、転写器２０等を制御する。
【００２６】
これらの構成によってＭＦＰ１０は印字モード時に、例えば給紙部１３から給紙された印字シートＰ１上に、トナー画像を転写する。ＭＦＰ１０は、定着器３１で印字シートＰ１を定着温度で加熱して、シートＰ１にトナー画像を定着後排紙部２２に排紙する。ＭＦＰ１０は消色モード時に、例えば給紙部１３から給紙された消色シートＰ２を定着器３１により消色温度に加熱して、消色シートＰ２上に形成された消色可能な画像を消色する。
【００２７】
次にレジストローラ３０によるシートＰ１、Ｐ２の搬送速度と定着器３１によるシートＰ１、Ｐ２の走行速度との速度比について述べる。シートＰ１、Ｐ２は、レジストローラ３０により定着器３１方向に搬送され、入り口ガイド３８によりニップ３６に導かれる。ニップ３６に到達した時にシートＰ１、Ｐ２がばたついていたり、変形したりすると、シートＰ１、Ｐ２の先端がニップ３６に真直ぐに入らない場合がある。シートＰ１、Ｐ２がニップ３６に対して角度を持って進入することが、ニップ３６を走行するシートＰ１、Ｐ２に紙しわを発生する原因の１つとなる。
【００２８】
シートＰ１、Ｐ２のニップ３６への進入不良を原因とする紙しわは、定着器３１の加熱温度が高いほど発生する可能性が高い。加熱温度が高いと、定着器３１は、シートＰ１、Ｐ２に含まれる水分を急激に奪い、シートＰ１、Ｐ２の変形を引き起こして、紙しわを発生し易くなる。例えばシートＰ１、Ｐ２のニップ３６への進入不良の程度がほぼ同じ場合に、印字モード時と比較して、加熱温度の高い消色モード時に紙しわを発生し易い。
【００２９】
シートＰ１、Ｐ２の、ニップ３６への進入角度が小さい場合は、クラウン形状のヒートローラ３３によりシートＰ１、Ｐ２の、紙しわを防止する。クラウン形状のヒートローラ３３はシートＰ１、Ｐ２を端部方向に引っ張って、シートＰ１、Ｐ２の、撓みを解消して、紙しわを防止する。クラウン形状のヒートローラ３３がシートＰ１、Ｐ２を端部方向に引っ張りきれずに、シートＰ１、Ｐ２に撓みが残ると、シートＰ１、Ｐ２は後端で紙しわを発生する恐れがある。
【００３０】
シートＰ１、Ｐ２の撓みは、搬送されてきたシートＰ１、Ｐ２を、ニップ３６で引っ張り気味に走行することでも直せる。ニップ３６でシートＰ１、Ｐ２を引っ張り気味に走行してシートＰ１、Ｐ２の撓みを解消すれば、シートＰ１、Ｐ２の紙しわの発生を防止出来る。
【００３１】
シートＰ１、Ｐ２の撓みを解消するために、ニップ３６でシートＰ１、Ｐ２を引っ張り気味に走行すると、シートＰ１、Ｐ２にかかる張力が大きくなる。ＭＦＰ１０が印字モードの場合には、印字シートＰ１にかかる張力が大きくなると画像形成に支障をきたす恐れがある。
【００３２】
印字モード時に、ニップ３６で印字シートＰ１を引っ張って、印字シートＰ１に張力をかけると、印字シートＰ１は、レジストローラ３０を抜けた時に後端が跳ねる恐れがある。印字シートＰ１の後端がレジストローラ３０の圧力から開放されて跳ねると、転写位置にある印字シートＰ１が振動して、転写ぶれを生じる恐れがある。印字シートＰ１の後端が跳ねるのを原因とする転写ぶれを防止するには、レジストローラ３０の搬送速度と定着器３１の走行速度を同程度にするのが望ましい。即ちレジストローラ３０と定着器３１の速度比を１：１に近づけることが望ましい。
【００３３】
紙しわの発生を防止する一方、転写ぶれの無い良質な画像を得るＭＦＰ１０の、シートＰ１、Ｐ２の速度制御を図４のフローチャートを参照して説明する。
【００３４】
ＭＦＰ１０は、電源をオン後の動作モードが、例えば印字モードとなるよう初期設定される。ＭＦＰ１０の動作モードを消色モードに切り替える場合、例えばユーザが表示／オペレーションパネル５０上で消色モードを選択する。表示／オペレーションパネル５０から消色モードが選択されると、ＣＰＵ１００は、ＭＦＰ１０の動作モードを消色モードに設定する。電源オン時のＭＦＰ１０の動作モードの初期設定は限定されない。
【００３５】
ＭＦＰ１０のスタート後、ＣＰＵ１００は、ＭＦＰ１０の動作モードを検知する（ＡＣＴ１２０）。ＣＰＵ１００は、動作モードが印字モードであると判断すると（ＡＣＴ１２１でＹｅｓ．）、ＡＣＴ１２２に進む。
【００３６】
ＡＣＴ１２２でＣＰＵ１００は、定着器駆動制御回路１１０を制御して、ヒータランプ３３ｂの加熱温度を定着温度（例えば１００℃）に設定する。更にＣＰＵ１００は、レジストローラモータ駆動制御回路１０８によりレジストローラモータ３０ａを制御する。ＣＰＵ１００は定着器駆動制御回路１１０によりヒートローラモータ３７を制御する。レジストローラ３０による印字シートＰ１の搬送速度と定着器３１による印字シートＰ１の走行速度を等速とするようレジストローラモータ３０ａとヒートローラモータ３７を駆動する。ＣＰＵ１００は、レジストローラ３０による印字シートＰ１の搬送速度と定着器３１による印字シートＰ１の走行速度との速度比を（１：１）とし、ＡＣＴ１２３に進む。
【００３７】
ＡＣＴ１２３でＣＰＵ１００は、印字シートＰ１に印字動作を行う。ＭＦＰ１０は、レジストローラ３０により転写器２０位置に搬送される印字シートＰ１にトナー画像を転写する。ＣＰＵ１００は、トナー画像を有する印字シートＰ１を、レジストローラ３０の搬送速度と等速の走行速度に設定される定着器３１のニップ３６で狭持して、印字シートＰ１を走行する。定着器３１は、ニップ３６を走行する印字シートＰ１を定着温度で加熱して印字シートＰ１にトナー画像を定着する。
【００３８】
レジストローラ３０及び定着器３１間で、印字シートＰ１に張力がかかっていないので、印字シートＰ１の後端はレジストローラ３０を抜けるときに跳ね上がる恐れが無い。印字シートＰ１が振動して画像ぶれを生じる恐れが無く、ＭＦＰ１０にて良質のトナー画像を得る。ＭＦＰ１０は定着終了後、印字シートＰ１を排紙部２２に排紙して印字動作を終了する。
【００３９】
動作モードが消色モードであると判断すると（ＡＣＴ１２１でＮｏ．）、ＣＰＵ１００はＡＣＴ１２６に進む。ＡＣＴ１２６でＣＰＵ１００は、定着器駆動制御回路１１０を制御し、ヒータランプ３３ｂの加熱温度を消色温度（例えば１３０℃）に設定する。更にＣＰＵ１００は、レジストローラモータ駆動制御回路１０８を制御してレジストローラモータ３０ａを駆動する。ＣＰＵ１００は、定着器駆動制御回路１１０を制御してヒートローラモータ３７を駆動する。
【００４０】
即ちＣＰＵ１００は、レジストローラ３０による消色シートＰ２の搬送速度に対して定着器３１による消色シートＰ２の走行速度を例えば１％速めるようレジストローラモータ３０ａとヒートローラモータ３７を駆動制御する。ＣＰＵ１００は、レジストローラ３０による消色シートＰ２の搬送速度と定着器３１による消色シートＰ２の走行速度との速度比を（１：１．０１）として、ＡＣＴ１２７に進む。
【００４１】
ＡＣＴ１２７でＣＰＵ１００は、消色シートＰ２に消色動作を行う。ＭＦＰ１０は、消色可能なトナーによる画像が形成された消色シートＰ２を、レジストローラ３０により定着器３１に搬送する。ＭＦＰ１０は、レジストローラ３０の搬送速度より１％速い走行速度に設定される定着器３１のニップ３６で消色シートＰ２を狭持して、消色シートＰ２を走行する。定着器３１は、消色シートＰ２を消色温度で加熱して消色シートＰ２上のトナー画像を消色する。ＭＦＰ１０は、消色終了後、消色シートＰ２を排紙部２２に排紙して消色動作を終了する。
【００４２】
消色モードでは、消色シートＰ２のレジストローラ３０による搬送と定着器３１による走行の速度比を（１：１．０１）として、消色シートＰ２を引っ張り気味にする。レジストローラ３０及び定着器３１間で、消色シートＰ２に張力をかけて、消色シートＰ２の撓みを解消する。定着器３１で、消色シートＰ２を定着温度より高い消色温度で加熱しても、消色シートＰ２に紙しわを発生するのを防止して良質のリユースシートを得る。
【００４３】
この後、ＭＦＰ１０の動作モードを、印字モード或いは消色モードに設定する度に、ＣＰＵ１００は、定着器３１の設定温度及びレジストローラ３０と定着器３１の速度比を制御する。
【００４４】
第１の実施形態によれば、ＭＦＰ１０が印字モードであれば、印字シートＰ１のレジストローラ３０による搬送速度と定着器３１による走行速度比を（１：１）とする。レジストローラ３０及び定着器３１間で、印字シートＰ１は引っ張られておらず、印字シートＰ１に張力がかかっていない。印字シートＰ１がレジストローラ３０を抜けるときに印字シートＰ１が振動するのを防止して、画像ぶれの無い良質のトナー画像を得る。
【００４５】
ＭＦＰ１０が消色モードであれば、消色シートＰ２のレジストローラ３０による搬送速度と定着器３１による走行速度比を（１：１．０１）とする。レジストローラ３０及び定着器３１間で、消色シートＰ２を引っ張り気味にして、消色シートＰ２に張力をかけて消色シートＰ２のたわみを解消する。定着器３１による加熱加圧消色時に、定着温度より高い消色温度で加熱しても消色シートＰ２に紙しわを発生するのを防止して、紙しわの無い良質のリユースシートを得る。
【００４６】
（第２の実施形態）
第２の実施形態の画像形成装置を、図５を参照して説明する。第２の実施形態は、第１の実施形態において、印字記録媒体或いは消色記録媒体の環境条件に応じて、搬送部の搬送速度と定着部の走行速度との速度比を制御するものである。第２の実施形態にあって、前述の第１の実施形態で説明した構成と同一構成については同一符号を付して詳細な説明を省略する。
【００４７】
ＣＰＵ１００は、ＭＦＰ１０の動作モードが消色モードである場合に、更に温湿度センサ７０の検知結果を用いて、消色シートＰ２のレジストローラ３０による搬送速度と定着器３１による走行速度との速度比を制御する。ＭＦＰ１０の環境湿度が高いと、シートＰ１、Ｐ２は吸湿して水分を多く保有する。保有する水分が多いシートＰ１、Ｐ２は変形が起き易い。シートＰ１、Ｐ２が変形した状態で定着器３１のニップ３６に進入すると、シートＰ１、Ｐ２は紙しわを発生し易い。環境湿度が高いことを原因とする紙しわの発生も、ニップ３６にて、シートＰ１、Ｐ２を引っ張り気味に走行することで防げる。
【００４８】
環境湿度が高い場合でも紙しわの発生を防止する一方、転写ぶれの無い良質な画像を得るＭＦＰ１０のシートＰ１、Ｐ２の速度制御を図５のフローチャートを参照して説明する。
【００４９】
ＭＦＰ１０のスタート後、ＭＦＰ１０の動作モードが印字モードであれば、ＣＰＵ１００は、第１の実施形態と同様に、ＡＣＴ１２０乃至ＡＣＴ１２３を実施する。ＭＦＰ１０の動作モードが印字モードであれば、ＣＰＵ１００は、レジストローラ３０による印字シートＰ１の搬送速度と定着器３１による印字シートＰ１の走行速度との速度比を（１：１）として、印字動作（ＡＣＴ１２３）を実施する。印字モード時に印字シートＰ１の振動による画像ぶれを防止して、良質のトナー画像を得る。
【００５０】
ＭＦＰ１０のスタート後、ＭＦＰ１０の動作モードが消色モードであると判断すると（ＡＣＴ１２１でＮｏ．）、ＣＰＵ１００はＡＣＴ１３１に進む。ＡＣＴ１３１で、温湿度センサ７０の検知結果から、湿度が一定値（例えば相対湿度７０％）を超えていなければ（ＡＣＴ１３１でＮｏ．）、ＣＰＵ１００は、第１の実施形態と同様に、ＡＣＴ１２６及びＡＣＴ１２７を実施する。ＣＰＵ１００は、レジストローラ３０による消色シートＰ２の搬送速度と定着器３１による消色シートＰ２の走行速度との速度比を（１：１．０１）に制御して、消色動作（ＡＣＴ１２７）を実施する。
【００５１】
環境湿度が高く、温湿度センサ７０の検知結果から、湿度が一定値を超えていれば（ＡＣＴ１３１でＹｅｓ．）、ＣＰＵ１００は、ＡＣＴ１３２に進む。ＡＣＴ１３２でＣＰＵ１００は、定着器駆動制御回路１１０を制御し、ヒータランプ３３ｂの加熱温度を消色温度に設定する。更にＣＰＵ１００は、レジストローラモータ駆動制御回路１０８を制御しレジストローラモータ３０ａを駆動する。ＣＰＵ１００は定着器駆動制御回路１１０を制御しヒートローラモータ３７を駆動する。
【００５２】
即ちＣＰＵ１００は、レジストローラ３０による消色シートＰ２の搬送速度に対して定着器３１による消色シートＰ２の走行速度を例えば２％速めるようレジストローラモータ３０ａとヒートローラモータ３７を駆動制御する。ＣＰＵ１００は、レジストローラ３０による消色シートＰ２の搬送速度と定着器３１による消色シートＰ２の走行速度との速度比を（１：１．０２）として、ＡＣＴ１２７に進む。
【００５３】
ＡＣＴ１２７でＣＰＵ１００は、消色可能なトナーによる画像が形成された消色シートＰ２を、レジストローラ３０により定着器３１に搬送する。ＭＦＰ１０は、レジストローラ３０の搬送速度より２％速い走行速度に設定される定着器３１のニップ３６で消色シートＰ２を狭持して、消色シートＰ２を走行する。定着器３１は、消色シートＰ２を消色温度で加熱して消色シートＰ２上のトナー画像を消色する。ＭＦＰ１０は、消色終了後、消色シートＰ２を排紙部２２に排紙して消色動作を終了する。
【００５４】
消色モード時であって更にＭＦＰ１０の環境湿度が高い場合には、消色シートＰ２のレジストローラ３０による搬送と定着器３１による走行速度との速度比を（１：１．０２）として、消色シートＰ２を引っ張り気味にする。レジストローラ３０及び定着器３１間で、消色シートＰ２に強めの張力をかけて、消色シートＰ２の撓みを解消する。ＭＦＰ１０の環境湿度が高い場合に、定着器３１で、消色シートＰ２を消色温度で加熱しても、消色シートＰ２に紙しわを発生するのを防止して良質のリユースシートを得る。
【００５５】
第２の実施形態によれば、第１の実施形態と同様に、ＭＦＰ１０が印字モードであれば、印字シートＰ１の後端がレジストローラ３０を抜けるときの印字シートＰ１の跳ね上がりによる印字シートＰ１の振動を防止して、画像ぶれの無い良質のトナー画像を得る。
【００５６】
ＭＦＰ１０が消色モードであって、環境湿度が一定値を超えていなければ、消色シートＰ２のレジストローラ３０による搬送速度と定着器３１による走行速度との速度比を（１：１．０１）とする。ＭＦＰ１０が消色モードであって、環境湿度が高く、一定値を超えている場合は、消色シートＰ２のレジストローラ３０による搬送速度と定着器３１による走行速度との速度比を（１：１．０２）とする。消色シートＰ２を強めに引っ張って、消色シートＰ２に紙しわを発生するのを防止して、紙しわの無い良質のリユースシートを得る。
【００５７】
（第３の実施形態）
第３の実施形態の画像形成装置を、図６を参照して説明する。第３の実施形態は、第１の実施形態において、印字記録媒体或いは消色記録媒体のサイズに応じて、搬送部の搬送速度と定着部の走行速度との速度比を制御するものである。第３の実施形態にあって、前述の第１の実施形態で説明した構成と同一構成については同一符号を付して詳細な説明を省略する。
【００５８】
ＣＰＵ１００は、ＭＦＰ１０の動作モードが消色モードである場合に、更にサイズセンサ７１の検知結果を用いて、消色シートＰ２のレジストローラ３０による搬送速度と定着器３１による走行速度との速度比を制御する。印字シートＰ１或いは消色シートＰ２のサイズが大きいと、シートＰ１、Ｐ２は撓み易い。シートＰ１、Ｐ２の撓みによる紙しわは、シートＰ１、Ｐ２が長いほど発生し易い。
【００５９】
シートサイズが大きい場合でも紙しわの発生を防止する一方、転写ぶれの無い良質な画像を得るＭＦＰ１０のシートＰ１、Ｐ２の速度制御を図６のフローチャートを参照して説明する。
【００６０】
ＭＦＰ１０のスタート後、ＭＦＰ１０の動作モードが印字モードであれば、ＣＰＵ１００は、第１の実施形態と同様に、ＡＣＴ１２０乃至ＡＣＴ１２３を実施する。ＭＦＰ１０の動作モードが印字モードであれば、ＣＰＵ１００は、レジストローラ３０による印字シートＰ１の搬送速度と定着器３１による印字シートＰ１の走行速度との速度比を（１：１）として、印字動作（ＡＣＴ１２３）を実施する。印字モード時に印字シートＰ１の振動による画像ぶれを防止して、良質のトナー画像を得る。
【００６１】
ＭＦＰ１０のスタート後、ＭＦＰ１０の動作モードが消色モードであると判断すると（ＡＣＴ１２１でＮｏ．）、ＣＰＵ１００はＡＣＴ１４１に進む。ＡＣＴ１４１で、サイズセンサ７１の検知結果から、消色シートＰ２のサイズが、ＪＩＳ規格のＡ・４サイズ以下であれば、（ＡＣＴ１４１でＮｏ．）、ＣＰＵ１００は、第１の実施形態と同様に、ＡＣＴ１２６及びＡＣＴ１２７を実施する。ＣＰＵ１００は、レジストローラ３０による消色シートＰ２の搬送速度と定着器３１による消色シートＰ２の走行速度比を（１：１．０１）に制御して、消色動作（ＡＣＴ１２７）を実施する。
【００６２】
サイズセンサ７１の検知結果から、消色シートＰ２のサイズが、ＪＩＳ規格のＡ・４サイズより大きければ（ＡＣＴ１４１でＹｅｓ．）、ＣＰＵ１００は、ＡＣＴ１４２に進む。ＡＣＴ１４２でＣＰＵ１００は、定着器駆動制御回路１１０を制御し、ヒータランプ３３ｂの加熱温度を消色温度に設定する。更にＣＰＵ１００は、レジストローラモータ駆動制御回路１０８を制御しレジストローラモータ３０ａを駆動する。ＣＰＵ１００は定着器駆動制御回路１１０を制御しヒートローラモータ３７を駆動する。
【００６３】
即ちＣＰＵ１００は、レジストローラ３０による消色シートＰ２の搬送速度に対して定着器３１による消色シートＰ２の走行速度を例えば２％速めるようレジストローラモータ３０ａとヒートローラモータ３７を駆動制御する。ＣＰＵ１００は、レジストローラ３０による消色シートＰ２の搬送速度と定着器３１による消色シートＰ２の走行速度との速度比を（１：１．０２）にとして、ＡＣＴ１２７に進む。
【００６４】
ＡＣＴ１２７でＣＰＵ１００は、消色可能なトナーによる画像が形成された消色シートＰ２を、レジストローラ３０により定着器３１に搬送する。ＭＦＰ１０は、レジストローラ３０の搬送速度より２％速い走行速度に設定される定着器３１のニップ３６で消色シートＰ２を狭持して、消色シートＰ２を走行する。定着器３１は、消色シートＰ２を消色温度で加熱して消色シートＰ２上のトナー画像を消色する。ＭＦＰ１０は、消色終了後、消色シートＰ２を排紙部２２に排紙して消色動作を終了する。
【００６５】
消色モード時であって更に消色シートＰ２がＡ・４サイズより大きい場合には、消色シートＰ２のレジストローラ３０による搬送と定着器３１による走行速度との速度比を（１：１．０２）として、消色シートＰ２を引っ張り気味にする。レジストローラ３０及び定着器３１間で、消色シートＰ２に強めの張力をかけて、消色シートＰ２の撓みを解消する。消色シートＰ２のサイズが大きい場合に、定着器３１で、消色シートＰ２を消色温度で加熱しても、消色シートＰ２に紙しわを発生するのを防止して良質のリユースシートを得る。
【００６６】
第３の実施形態によれば、第１の実施形態と同様に、ＭＦＰ１０が印字モードであれば、印字シートＰ１の後端がレジストローラ３０を抜けるときの印字シートＰ１の跳ね上がりによる印字シートＰ１の振動を防止して、画像ぶれの無い良質のトナー画像を得る。
【００６７】
ＭＦＰ１０が消色モードであって、消色シートＰ２のサイズがＡ・４サイズ以下であれば、消色シートＰ２のレジストローラ３０による搬送速度と定着器３１による走行速度との速度比を（１：１．０１）とする。消色シートＰ２のサイズがＡ・４サイズより大きければ、消色シートＰ２のレジストローラ３０による搬送速度と定着器３１による走行速度との速度比を（１：１．０２）とする。消色シートＰ２を強めに引っ張って、消色シートＰ２に紙しわを発生するのを防止して、紙しわの無い良質のリユースシートを得る。
【００６８】
以上説明した実施形態では、印字モード時の搬送部の搬送速度と定着部の走行速度との速度比は１：１とされる。但し印字記録媒体の振動による画像ぶれを生じない範囲であれば、印字モード時であっても搬送部の搬送速度と定着部の走行速度との速度比を制御可能である。印字モード時に画像ブレを生じない範囲であれば、定着部の走行速度を搬送部の搬送速度より、多少速くしても良い。また、消色モード時の搬送部の搬送速度と定着部の走行速度との速度比も限定されない。更に定着温度或いは消色温度も限定されない。
【００６９】
以上説明した少なくとも１つの実施形態によれば、定着部の設定温度に従い、搬送部の搬送速度と定着部の走行速度比を制御する。画像形成装置が印字モードの場合に、印字記録媒体に画像ぶれの無い良質のトナー画像を得る。画像形成装置が消色モードの場合であっても、消色記録媒体に紙しわを発生するのを防止して、紙しわの無い良質のリユースシートを得る。
【００７０】
この発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことが出来る。これら実施形態やその変形は、発明の範囲や要旨に含まれるとともに、特許請求の範囲に記載された発明とその均等の範囲に含まれる。
【符号の説明】
【００７１】
１０…ＭＦＰ
１１…プリンタ部
３０…レジストローラ
３１…定着器
１００…ＣＰＵ
【図１】
2014164249.tif 000003
【図２】
2014164249.tif 000004
【図３】
2014164249.tif 000005
【図４】
2014164249.tif 000006
【図５】
2014164249.tif 000007
【図６】
2014164249.tif 000008